(57)【特許請求の範囲】
【請求項１】
開口部、側面部、および、底面部を有する容器であって、
前記開口部は、中心角が１８０°以上の円弧状部と前記円弧状部に隣接して設けられた矩形状部とを含み、
前記円弧状の開口部を有する部分の側面部は前記底面部から前記開口部に向かって広がるテーパ状、または、半円筒状であり、
前記矩形状の開口部を有する部分の側面部は直方体状であり、
前記矩形状の開口部を有する部分と前記円弧状の開口部を有する部分との底面部は共有され、
前記円弧状の開口部を有する部分と前記矩形状の開口部を有する部分のそれぞれに第１および第２小容器が収容され、
前記円弧状の開口部を有する部分に収容される前記第１小容器は円弧状の開口部と、前記円弧状の開口部の下方に延在する逆円錐台状または円筒状の壁面および台形状または矩形状の壁面と、前記逆円錐台状または円筒状および台形状または矩形状の壁面の下端部を接続する第１の底部を有し、
前記第１および第２小容器を収容する容器は前記第１の底部より下部に位置する第２の底部を有し、
前記台形状または矩形状の壁面は前記第１の底部より下部に延在し、
前記第１の底部より下部に延在する台形状または矩形状の壁面は、前記第１の底部と前記第２の底部との間の空間と前記矩形状の開口部を有する部分の底面部とを接続するための貫通孔を有し、
前記第１小容器は、前記第１の底部において、前記台形状または矩形状の壁面の下面近傍に設けられ、前記第２の底部に対して前記第１の底部を保持する脚部を有する、容器。
【請求項２】
前記円弧状の開口部を有する部分と前記矩形状の開口部を有する部分とは仕切りによって分離される、請求項１に記載の容器。
【請求項３】
前記仕切りは、前記円弧状の開口部と前記矩形状の開口部との境界に設けられる、請求項２に記載の容器。
【請求項４】
前記矩形状の開口部を有する部分の側面部には前記第２小容器を下から支持するストッパが設けられる、請求項１に記載の容器。
【請求項５】
請求項１〜４のいずれかに記載の容器の製造方法であって、
前記中心角が１８０°以上の円弧状部と前記円弧状部に隣接して設けられた矩形状の開口部と、それぞれの側面部と、それぞれの底面部とを含む第３小容器を準備するステップと、
第３小容器の前記中心角が１８０°以上の円弧状の開口部に収納可能な第１小容器を準備するステップと、
第３小容器の前記矩形状の開口部に収容可能な第２小容器を準備するステップと、
前記第１小容器および前記第２小容器を前記第３小容器に収容することによって容器を製造する、容器の製造方法。
【発明の詳細な説明】
【技術分野】
【０００１】
この発明は麺類のような食品を収容可能な容器およびその製造方法に関し、特に、複数の収容部を有する容器およびその製造方法に関する。
【背景技術】
【０００２】
従来の、食品を収容可能な複数の収容部を有する容器が例えば、特開２００１-７２０７１号公報（特許文献１）や、特開２０１３-１４２６号公報（特許文献２）に開示されている。特許文献１によれば、容器は、有底円筒体を複数部分に区分してなる内筒体と、この飲料収容部の開口部を閉塞するキャップ部と、前記飲料収容部を一体化させる外筒体とで構成される。キャップ部は、区分された内筒体の内容物が互いに混合しないよう前記飲料収納部の開口部を閉塞する構造になっている。特許文献２によれば、開口部、側面部及び底面部を有し、底面部に向って略テーパ形状を有する第一容器１及び第二容器から構成され、第一容器の底面部を含む下方側面部を、第二容器の開口部より挿入し、第二容器の上方側面部と嵌合させることで第一容器１及び第二容器２を上下二段に一体化させた複合容器を開示している。第一容器の下方側面部が容器内方向に多段形状を有しており、第二容器の上方側面部が多段形状と嵌合可能な形状を有している。【０００３】
特許文献１によれば、円周方向において、それぞれがほぼ均等に分割された複数の収容部を有する容器を開示している。この構成は、基本的に複数の人数分の飲食物を収容するために設けられている。【０００４】
一方、特許文献２によれば、上下方向において分割された２段の収容部を有する容器を開示している。この構成はつけ麺等を意図している。
【先行技術文献】
【特許文献】
【０００５】
【特許文献１】特開２００１-７２０７１号公報
【特許文献２】特開２０１３-０１４２６号公報
【発明の概要】
【発明が解決しようとする課題】
【０００６】
従来の食品を収容可能な複数の収容部を有する容器は上記のように構成されていた。特許文献１によれば、複数の収容部は、基本的に他の収容部とは完全に分離されている。したがって、底面部や、隣接する部材が個別に重複して設けられるため、コストアップになるという問題がある。また、特許文献２においても、２つの収容部が上下方向において完全に重なる必要がるため、製造工程において、寸法の管理が必要で、同様にコストアップになるという問題があった。【０００７】
この発明は上記のような問題点を解消するためになされたもので、麺類のような食品を収容可能な複数の収容部を有しながら、コスト削減が可能な容器および容器の製造方法を提供することを目的とする。
【課題を解決するための手段】
【０００８】
この発明に係る容器は、開口部、側面部、および、底面部を有する。側面部は、底面部を共有するように設けられた外側側面部と、外側側面部の内側に設けられた内側側面部とを含む。【０００９】
外側側面部は底面部から開口部に向かって広がるテーパ状であってもよいし、円筒状であってもよい。【００１０】
内側側面部はテーパ状であってもよいし、円筒状であってもよいし、矩形状であってもよい。【００１１】
開口部は、外側側面部が円形であり、内側側面部が矩形状、または、多角形状であるのが好ましい。【００１２】
この発明の他の局面においては、容器は、開口部、側面部、および、底面部を有する。開口部は、中心角が１８０°以上の円弧状部と円弧状部に隣接して設けられた矩形状部とを含む。円弧状の開口部を有する部分の側面部は底面部から開口部に向かって広がるテーパ状、または、半円筒状であり、矩形状の開口部を有する部分の側面部は直方体状であり、円弧状の開口部を有する部分と矩形状の開口部を有する部分とは矩形状の開口部を形成する直方体の一つの面である壁によって仕切られ、矩形状の開口部を有する部分と円弧状の開口部を有する部分との底面部は共有され、矩形状の開口部を有する部分の側面部と、円弧状の開口部を有する部分の側面部との接続部は、相互に滑らかに接続される。【００１３】
好ましくは、円弧状の開口部を有する部分の底面部は第１の底部と、第１の底部より下部に設けられた第２の底部とを有し、壁は、第１の底部と第２の底部との間の空間と矩形状の開口部を有する部分の底面部とを接続するための貫通孔を有する。【００１４】
この発明のさらに他の局面は上記した容器の製造方法である。容器の製造方法は、中心角が１８０°以上の円弧状部と円弧状部に隣接して設けられた矩形状の開口部と、それぞれの側面部と、第２の底部と矩形状の開口部に対応する底面部とを含む第３小容器を準備するステップと、第３小容器の内部に収容可能な、中心角が１８０°以上の円弧状部に対応するテーパ状、または、半円筒状の側面部および矩形状の開口部に対応する側面部と、側面部に連続して設けられた壁と、壁の下面近傍において壁に接続して設けられた第１の底部と、第１の底部を第２の底部に対して所定の間隔あけて保持する脚部を有する第１小容器を準備するステップとを含み、壁の第１の底部と、第２の底部との間には、貫通孔が設けられており、第１小容器を第３小容器に収容することによって容器を製造する。
【発明の効果】
【００１５】
この発明によれば、容器は内側部材と外側部材とが底面部を共有するため、同様の部材が重複して設けられることはない。【００１６】
また、この発明に係る容器の製造方法によれば、円弧状部の開口部とそれに隣接して設けられた矩形状の開口部と、それぞれの下部に設けられた側面及び共有して設けられた底面部を有する第３小容器と、円弧状の開口部を有する部分の内部に収容可能な第１小容器とを予め準備し、第３容器の中に第１底部を有する第１小容器を収容して容器を製造するため、複数の収容部を有しながら、簡単に製造が可能である。【００１７】
その結果、複数の収容部を有しながら、コスト削減が可能な容器及びその製造方法を提供できる。
【図面の簡単な説明】
【００１８】
【図１】この発明の一実施の形態に係る容器を示す図である。
【図２】この発明の他の実施の形態に係る容器を示す図である。
【図３】この発明のさらに他の実施の形態に係る容器を示す図である。
【図４】容器の変形例を示す図である。
【図５】容器のさらなる変形例を示す図である。
【図６】容器のさらなる変形例を示す図である。
【図７】容器の変形例を示す図である。
【図８】容器の変形例を示す図である。
【図９】容器の変形例を示す図である。
【図１０】容器の変形例を示す図である。
【図１１】容器の変形例を示す図である。
【図１２】内側側面部と外側側面部との位置関係を示す図である。
【図１３】容器の変形例を示す図である。
【図１４】容器の変形例を示す図である。
【図１５】容器の変形例を示す図である。
【図１６】容器の変形例を示す斜視図である。
【図１７】この発明の他の実施の形態に係る容器を示す図である。
【図１８】図１７に示した容器の製造方法を示す斜視図である。
【図１９】この発明の他の実施の形態に係る容器の変形例を示す図である。
【図２０】容器に麺等を収容した状態を示す斜視図である。
【発明を実施するための形態】
【００１９】
以下、この発明の一実施の形態を、図面を参照して説明する。図１は、この発明の一実施の形態に係る容器を示す図である。図１（Ａ）は斜視図であり、図１（Ｂ）は平面図（図１（Ａ）において、矢印ＩＢ−ＩＢで示す部分の矢視図）である。
【００２０】
図１を参照して、容器１０は、開口部１１、側面部１２、および、所定の径を有する底面部１５を有し、底面部１５から上部へ行くにつれ大きな径を有するテーパ状である。側面部１２は、側面部１２の外側を構成する外側側面部１３と、その内側に底面部１３を共有するように設けられた円筒状の内側側面部１４とを含む。内側側面部１４の上端部の径は底面部１５の径と同じかそれよりも大きい。また、外側側面部１３の上端部と内側側面部１４の上端部とはほぼ同じ位置にあり、図示のない外側側面部の径を有する蓋で、内側側面部１４も共通にカバーできる。
【００２１】
上記の構成の結果、容器１０は底面部１５と内側側面部１４とで形成された中央部空間１６とテーパ状の外側側面部１３と内側側面部１４との間に挟まれた端部空間１７とを有する。
【００２２】
この実施の形態においては、容器１０は、カップ麺の容器に使用することを意図しているため、中央部空間１６に麺を収容し、端部空間１７につけ汁や具材や薬味のような麺以外のものを収容することができる。
【００２３】
以上のように、この実施の形態によれば、底面部１５を共有するように、外側側面部１３と内側側面部１４とが設けられる。同様の部材が重複して設けられることはないため、複数の収容部を有しながら、簡単な構成を有する容器を提供できる。
【００２４】
次に、この発明の他の実施の形態について説明する。図２は、この発明の他の実施の形態を示す図である。図２（Ａ）は斜視図であり、図２（Ｂ）は平面図（図２（Ａ）において、矢印ＩＩＢ−ＩＩＢで示す部分の矢視図）である。
【００２５】
図２を参照して、この実施の形態においても、底面部２５を共有するように、外側側面部２３と外側側面部２３の内部に設けられた内側側面部２４とが設けられる。ここでは、中央空間部２６は同一内径を有する円筒状であり、その周囲に下方向になるにつれて狭くなる外周空間２７が形成されている。なお、中央空間部２６はテーパ状であってもよい。
【００２６】
この実施の形態においても、中央部空間２６に麺を収容し、外周空間２７につけ汁や薬味のような麺以外のものを収容することができる。
【００２７】
ここでは、中央空間部２６は外側部の中央に位置するように配置されているが、これに限らず、中央からずれていてもよい。
【００２８】
なお、上記した中央部空間２６や外周空間２７は、その部分を複数に分割してもよい。そうすれば、分割した部分に、異なる薬味等を収容できる。
【００２９】
次に、この発明のさらに他の実施の形態について説明する。図３は、この発明のさらに他の実施の形態を示す平面図である。図３（Ａ）は斜視図であり、図３（Ｂ）は平面図（図３（Ａ）において、矢印ＩＩＩＢ−ＩＩＩＢで示す部分の矢視図）である。
【００３０】
図３を参照して、この実施の形態においては、円形の底面部３５ａおよび円筒状の外側側面部３３の中に、矩形の底面部３５ｂおよびその４辺をそのまま上端部まで延ばした４面３４を有する直方体状の内側空間３６が形成されている。一方、その周囲に、円弧と弦とで挟まれた、４つの同一形状の外側空間３７が設けられる。
【００３１】
したがって、この実施の形態においては、外側側面部３３はテーパ状ではないが、下端部を矩形の底面部３５ｂに合わせるようにテーパ状にしてもよい。
【００３２】
次に、この発明のさらに他の実施の形態について説明する。以下の実施の形態においては、基本的な形状は図３のように、円形の底面部３５ａおよび円筒状の外側側面部３３の中に、底面部の形状の異なる内側空間４６が形成される。したがって、以下の実施の形態においては、容器の開口部の平面図のみを示す。
【００３３】
図４は、この発明のさらに他の実施の形態を示す平面図である。図４を参照して、この実施の形態においては、図３に示した矩形の底面部がその４辺の中央部が凹部を有する形状を有している。これによって、４つの外側底面部４５ａとその中央に設けられた１つの中央底面部４５ｂが設けられるとともに、それぞれの底面部から垂直上方向に延在する外側側面部４３と内側側面部４４とで側面部４２が形成されている。
【００３４】
図５（Ａ）は、この発明のさらに他の実施の形態を示す平面図である。図５（Ａ）を参照して、この実施の形態においては、基本的に底面の中央部に縦方向に延在する一対の直線状で仕切られた広い底面部５５ａと、その両側に設けられた円弧状の狭い底面部５５ｂ，５５ｃとを有する。この場合もそれぞれの底面部から垂直上方向に延在する外側側面部５３と内側側面部５４とで側面部５２が形成されている。
【００３５】
次に、この実施の形態における変形例について説明する。図５（Ｂ）は、中央部の広い部分として、８の字状の内側底面部５５ａが設けられ、その部分を囲むように一対の外側底面部５５ｂ，５５ｃが設けられている。
【００３６】
図５（Ｃ）は、さらなる変形例を示す平面図である。図５（Ｃ）を参照して、この変形例においては、中央部の広い部分が底面の外径の円弧を上下の端部で共有する楕円状である。具体的には、円筒状の外側底面部の中に「０」の字状の内側底面部５６ａが設けられている。
【００３７】
図５（Ｄ）はさらなる変形例を示す平面図である。図５（Ｄ）を参照して、この変形例においては、図５（Ｃ）の場合とは逆に、中央部の広い部分を規定している一対の壁の形状が中心部で中心側に凸状で、その上下方向において外部へ広がった形状の底面部５７ａが設けられている。
【００３８】
図６は、この発明のさらに他の実施の形態を示す平面図である。図６を参照して、この実施の形態においては、円形状の外側底面部６１ａの中に六角形状の内側底面部６１ｂが設けられている。これらの底面部から垂直上方向に外側側面部、および、内側側面部が設けられているのは他の実施の形態と同じである。
【００３９】
図７（Ａ）は、この発明のさらに他の実施の形態を示す平面図である。図７（Ａ）を参照して、この実施の形態においては、円筒状の外側底面部６５ａが１つの壁６５ｂで仕切られて、２つの収容部が形成されている。ここでは、壁６５ｂが円筒の中心を通る直線として設けられているが、この位置は中心からずれてもよいし、曲線であってもよいし、折れ線であってもよいし、折れ線は複数あってもよい。このような例を図７（Ｂ）〜図７（Ｄ）に示す。
【００４０】
なお、図７（Ｄ）において、円弧状の狭い部分６６がさらに壁６７によって複数の部分に分割されているが、図７（Ａ）〜（Ｃ）においても同様に狭い部分が複数の部分に分割されていてもよい。
【００４１】
図８は、この発明のさらに他の実施の形態を示す平面図である。図８を参照して、この実施の形態においては、円筒状の外側底面部７５ａが十字状の４つの壁７５ｂで仕切られて、４つの収容部７５ｃが形成されている。ここでは、十字の中心は円筒の中心と一致するように設けられているが、これに限らず、ずれていてもよい。
【００４２】
図９は、この発明のさらに他の実施の形態を示す平面図である。図９（Ａ）を参照して、この実施の形態における容器８０ａは、底面部８５の形状は略正方形に近い矩形である。図９（Ａ）を参照して、底面部８５は、その中央に設けられた円形の底面部８６とその外部に設けられた底面部８７とを含む。それぞれの底面部８６,８７の垂直上方向に壁面が設けられるのは先の実施の形態と同じである。
【００４３】
次に、この場合の変形例について説明する。上記においては、中央部の底面部は円形であったが、この実施の形態においては、中央部の形状は矩形状、または、八角形状である。図９（Ｂ）を参照して、この変形例に係る容器８０ｂは４つの辺８８ａ〜８８ｄを含む八角形の底面部８８と、その外側に設けられた４つの三角形の部分８９ａ〜８９ｄとを含む。ここでは、内側底面部８８は八角形状であるが、内側底面部８８において、４つの辺８８ａ〜８８ｄをそれぞれの端部で接続することによって、この内側底面部８８を矩形状にできる。
【００４４】
次にこの実施の形態におけるさらなる変形例について図９（Ｃ）を参照して説明する。この実施の形態に係る容器８０ｃは、底面部９０を一方側と他方側に分割し、一方側に矩形状の広い部分９１を設け、他方側を複数の小さな矩形状の収容部に分割する。ここでは、３つの収容部９２ａ〜９２ｃに分割しているが、任意の数に分割してもよいし、任意の大きさとしてもよい。
【００４５】
次にこの発明のさらに他の実施の形態について説明する。上記実施の形態においては、開口部（または底面部）の形状は略正方形に近い矩形であったが、この実施の形態においては、容器の底面は四角以上の多角形である。六角形の場合を図１０に、八角形の場合を図１１に示す。
【００４６】
図１０を参照して、この実施の形態においては、六角形の底面９３をほぼ面積が等しくなるように２つに分割し、その一方側に大きな収容部用の大きな底面部９４を設け、他方側に複数の小さい収容部用の底面部９５ａ〜９５ｃを設ける。ここでは、小さな収容部９５ａ〜９５ｃは相互に逆方向に並べられた３つの三角形状である。この場合も上記の実施の形態と同様に、容器の全体形状は、底面の各辺に連続して垂直上方向に延在する壁面を有する多角柱状である。
【００４７】
なお、図１１に示すように、底面部が他の多角形状（ここでは。八角形状）であっても同様である。また、図中点線で示したのは複数の小さい収容部である。
【００４８】
図１２は、この実施の形態における、内側側面部のさらなる変形例を示す図である。この実施の形態においては、図１２（Ａ）において点線で示すように、内側側面部が外側側面部の底面部まで至らない。また、内側側面部９６が平面的に見て、外側側面部９７の約半分（１８０°）を占める場合を示す図である。図１２（Ｂ）は、図１（Ｂ）に示すように、内側側面部９８が平面的に見て、外側側面部９９の大きな部分を占める場合を示す図である。ここでは、内側側面部９８の底面が図中点線で示すように、外側側面部９９にも延長されて、容器自体が二重底になっている。なお、この場合の開口部の平面図は、図７（Ａ）〜（Ｄ）に示すとおりであってもよい。
【００４９】
図１２（Ｃ）は、この実施の形態におけるさらなる変形例を示す図である。この変形例においては、図１２（Ａ）において、外側側面部９７と内側側面部９６とで形成される空間に、この空間の形状に沿った小容器９７ａを設ける。この小容器９７ａの底部は内側側面部９８の底部９６ａとほぼ同レベルとするのが好ましい。この小容器９７ａには具材等を収容する。この場合、小容器９７ａを収容する前に、外側側面部９７の上部開口部から容器の下部の水平の点線で示した内側側面部９８の底面まで、氷水や熱湯を注入し、その後、小容器９７ａを収容する。このようにすれば、麺や具材の保温や保冷が可能になる。
【００５０】
また、図１２（Ｂ）に示したように二重底にした場合は、この二重底の部分に保冷剤や保温材を収容してもよい。この場合、二重底の部分には単に開口部を設け、必要な場合に、開口部を介して二重底の部分に保冷剤や保温材を収容するようにしてもよい。
【００５１】
次に、この発明のさらに他の実施の形態について説明する。図１３はこの実施の形態における平面図（(Ａ)、図１３（Ｂ）において矢印ＸＩＩＩＡ-ＸＩＩＩＡで示す部分の矢視図)と側面図（（Ｂ）、図１３（Ａ）において、矢印ＸＩＩＩＢ-ＸＩＩＩＢで示す部分の矢視図)である。図１３（Ａ），（Ｂ）を参照して、この実施の形態においては、容器１０１は矩形状の開口部を有する部分１０２と矩形状の開口部を有する部分１０２に隣接して設けられた円弧状の開口部を有する部分１０４とを含む。ここで円弧状の開口部を有する部分１０４の開口部の中心角は１８０°より大きく、半円より大きい。
【００５２】
矩形状の開口部を有する部分１０２には、容器１０１の底部までは至らない小容器１０３が収容可能である。小容器１０３の収容は、小容器１０３の頂部に鍔を設けてもよいし、矩形状の部分１０２を下方向に行くにつれて狭くなるようにして、固定してもよい。また、この小容器１０３は無くてもよい。
【００５３】
ここで、矩形状の部分１０２の小容器１０３の下部に仕切りを入れて、この部分を上下に分離し、分離した下部に加熱材や冷却材を収容可能としてもよい。そうすれば、季節に応じて、麺やスープを所望の温度に維持することができる。
【００５４】
また、この部分は、単に凹部のみを設けておき、そこに、加熱材や冷却材を取り付け可能な構成としてもよい。
【００５５】
図１４は、図１３の変形例を示す図１３（Ａ）に対応する図である。図１４を参照して、この実施の形態においては、容器１１１は矩形状の部分１１２と矩形状の部分１１２に隣接して設けられた多角形状の部分１１３とを含む。多角形状の部分として、ここでは八角形を示しているが、これに限らなくてもよい。また、矩形状の部分１１２には、小容器を設けてもよいし、設けなくてもよい。
【００５６】
図１５は、図１３のさらなる変形例を示す、図１３（Ａ）に対応する図である。図１５を参照して、この実施の形態においては、容器１２１は矩形状の開口部を有する部分１２２と矩形状の開口部を有する部分１２２に隣接して設けられた円弧状の開口部を有する部分１２３とを含む。先の実施の形態においては、矩形状の部分が小さく、これに隣接する弧状部分や多角形状部分の面積が大きかったが、この実施の形態においては、矩形状の部分の方が隣接する部分よりも大きい。なお、この場合も隣接する部分が多角形であってもよい。また、この実施の形態においては、弧状部分は半円であってもよい。
【００５７】
なお、図１３〜図１５において、矩形状の部分と、それに隣接した円弧状の部分、または、多角形状の部分を有する形状について説明したが、これに限らず、矩形状の部分を円弧状や、多角形状にしてもよい。
【００５８】
次に、この発明のさらに他の実施の形態について説明する。図１６はこの実施の形態における容器１３０の斜視図である。図１６を参照して、この実施の形態においては、容器１３０は有底の逆円錐台状であり、上端部から下端部に向かってその径が小さくなるテーパ状である。容器１３０は内部において壁１３４によって、一方側の収容部１３１と他方側の収容部１３２とに分割されている。
【００５９】
一方側の収容部１３１と他方側の収容部１３２との大きさは等しくてもよいが、異なってもよい。この図では異なっている。小さい方の収容部１３２には、有底の小容器１３３が収容されている。
【００６０】
この実施の形態においては、収容部１３１に麺を収容し、小さい方の収容部１３２の下部に汁や具材等をそれぞれ袋に入れて収容し、喫食時に小容器１３３に汁を入れることができる。なお、小容器１３３収容部１３２での保持方法は、図１３で説明したのと同様の方法で可能である。
【００６１】
また、ここでは、収容部１３２に小容器１３３を設ける場合について説明したが、これに限らず、小容器はなくてもよい。
【００６２】
次に、この発明のさらに他の実施の形態について説明する。図１７は、この発明のさらに他の実施の形態を示す図であり、（Ａ）は平面図（図１７（Ｂ）において、矢印ＸＶＩＩＡ-ＸＶＩＩＡで示す矢視図）であり、（Ｂ）は側面図（図１７（Ａ）において、矢印ＸＶＩＩＢ-ＸＶＩＩＢで示す矢視図）であり、（Ｃ）は図１７（Ｂ）において、矢印ＸＶＩＩＣ-ＸＶＩＩＣで示す矢視図である。
【００６３】
図１７を参照して、この実施の形態に係る容器の構成は図１３に示した容器に近い構成を有している。ここでは、容器を構成する部材の肉厚も示している。この実施の形態に係る容器１４１は、矩形状の開口部を有する部分１４２と（以下、「矩形状の部分１４２」という場合がある）、矩形状の部分１４２に隣接して設けられた円弧状の開口部を有する部分１４４（以下、「円弧状の部分１４４」という場合がある）とを含み、円弧状の部分１４４は下部に行くにしたがって径が小さくなる円錐台状である。また、円弧状の部分１４４の開口部の中心角は１８０°より大きく２７０°に近い。
【００６４】
円弧状の部分１４４は二重底になっており、上側の底部１４５と下側の底部１４６とを含む。下側の底部１４６は矩形状の部分１４２の底部１４３と共通であり同じレベルである。矩形状の部分１４２と円弧状の上端部１４４を有する部分とは矩形状の部分１４２を構成する直方体の一つの面である、壁１４７で仕切られている。壁１４７の下端部であって、２つの底１４５，１４６に挟まれる部分には矩形状の部分１４２と連通する貫通孔１４８が設けられている。
【００６５】
これによって、矩形状の部分１４２に注入された液体を、円弧状の部分１４４の二重底で挟まれた部分１４９と矩形状の部分１４２の下部との間に保持可能になる。また、矩形状の部分１４２の上部には、図１３で説明したように、小容器を収容することも可能である。
【００６６】
このような構成であれば、麺を円弧状の部分１４４の上底１４５の上に収容し、お茶のような飲み物を円弧状の部分１４４の二重底で挟まれた部分１４９と矩形状の部分１４２の下部との間に保持し、小容器に具材を収容することによって、容器１４１の中に、食事に必要な全てのものを収容可能になる。また、必要であれば、図示のないストローを図示のない小容器の具材を収容しない部分に収容してもよい。
【００６７】
また、上記実施の形態においては、壁１４７の下端部に貫通孔を１つ設けた場合について説明したが、これに限らず、複数設けてもよい。
【００６８】
次に、この実施の形態に係る容器１４１の製造方法について説明する。図１８は図１７に示した容器１４１の製造方法を示す図である。
【００６９】
まず、容器１４１の構成要素として、図１８（Ａ）に示す第１小容器１５１と、図１８（Ｂ）に示す第２小容器１５２と、図１８（Ｃ）に示す第３小容器１５３とをあらかじめ成形しておく。
【００７０】
第３小容器１５３は中心角が１８０°以上の円弧状の開口部１４４ａと円弧状の開口部１４４ａに隣接して設けられた矩形状の開口部１４２ｂと、それぞれの開口部から下方向に延在する側面部と、第２の底部１４６と矩形状の開口部に対応する底面部とを含む。
【００７１】
第２小容器１５１は、第３小容器１５３の内部に収容可能な、中心角が１８０°以上の円弧状部の開口部と、その下部に設けられたテーパ状の側面部および図１７で説明した壁１４７に対応する側面部とを含む。
【００７２】
第１小容器１５１および第２小容器１５２は、それぞれ、第３小容器１５３の円弧状の開口部１４４と矩形状の開口部１４２とに収容可能な形状である。このように収容するために、第３小容器１５３の円弧状の開口部１４４と矩形状の開口部１４２との接続部の上部に仕切り１５７ａ，１５７ｂが、下部に仕切り１５８ａ，１５８ｂが、それぞれ設けられている。仕切り１５７ａ，１５７ｂ、１５８ａ，１５８ｂの形状は任意であるが、ここでは、矩形状の板を内側に突出させている。
【００７３】
ここで、第１小容器１５１は、円弧状の開口部１４４ａおよび円弧状の開口部１４４ａの両端を接続する直線１４２ａで構成された開口部と、この開口部の下方に延在する逆円錐台状の壁面１５１ａおよび矩形状の壁面１４２ｃとを含む。矩形状の壁面１４２ｃは直線１４２ａで構成された開口部から下の部分に延在し、上底１４５の下方向にも同一の幅で突出した矩形状の第１脚部１５５ａを含む。上底１４５には、第１脚部１５５ａに対して１８０°離れた位置に設けられ所定長さの弧を有し、上底１４５の下方向に突出する第２脚部１５５ｂが設けられている。
【００７４】
第１脚部１５５ａと第２脚部１５６ｂとは同じ高さであり、下底１４６上で第１小容器１５１を所定の位置に保持する。また、第１脚部１５５の幅方向の中央には貫通孔１４８が設けられている。なお、第２脚部１５５ｂはこの形状や位置に関わらず、第３小容器１５３内で第１小容器１５１が上底１４５を水平に維持されるようにできれば、任意の形状で任意の数設けてもよい。
【００７５】
第２小容器１５２は、矩形状の開口部１５２ａを有する直方体状であり、第３小容器１５３の矩形状の開口部１４２ｂを有する部分に収容される。第２小容器１５２の高さ方向の寸法は第３小容器１５３の矩形状の開口部１４２ｂから上底１４５までの寸法より小さい。
【００７６】
この第２小容器１５２は直方体状に限らず、側面の一部が下方向において、テーパ状に狭くなっていてもよい。また、第２小容器１５２は開口部１５２ａが長手方向に複数に分割されていてもよい。
【００７７】
なお、ここでは、第１小容器の位置決めのために仕切りを設けた例について説明したが、これに限らず、第１小容器の上底が第３小容器の所定の場所に位置するように第1小容器の壁面のテーパ角度を第３小容器のテーパ角度より大きくする等の調整することによって、これらの仕切りを設けないようにしてもよい。
【００７８】
次に、この実施の形態の変形例について説明する。図１９は、図１７に示した実施の形態の変形例を示す図であり、（Ａ）は平面図（図１９（Ｂ）において、矢印XIXＡ-XIXＡで示す矢視図）であり、（Ｂ）は側面図（図１９（Ａ）において、矢印XIXＢ-XIXＢで示す矢視図）である。
【００７９】
図１９を参照して、この実施の形態においては、図１７に示した容器に対して、開口部が円弧状ではなく、半円状であり、矩形状の開口部の長手の辺は隣接する半円の直径に等しい寸法を有するとともに、半円状の開口部を有する部分側面は円筒状である。
【００８０】
すなわち、この実施の形態に係る容器１６１は、半円状の開口部１６２と矩形状の開口部１６３とを含む。
【００８１】
また、この実施の形態においては、矩形状の開口部１６３内に保持される第２小容器１６４を上下方向において支持するためのストッパ１６５ａ，１６５ｂを設けている。このストッパは先の実施の形態における第２小容器１５２の下部にも設けてもよい。
【００８２】
それ以外の部分は図１７と同様であるので、その説明を省略する。また、この容器１６１は図１８に示した方法と同様に製造できる。
【００８３】
なお、図１８および図１９に示した実施の形態において、第２小容器１５２，１６４を１個設けた例について説明したが、これに限らず、ストッパを複数段設けて、縦方向が短い複数の第２小容器を上下方向に設けるようにしてもよい。こうすれば、複数の具材等を収容できる。
【００８４】
次に、図１７〜図１９に示した実施の形態における容器１４１,１６１の具体的な使用例について説明する。図２０は容器１４１,１６１の具体的な使用例を示す、一部を破断して示す斜視図である。図２０を参照して、容器１４１は第３小容器に収容された第１小容器１５１と第２小容器１５２とを含む。ここでは、容器１４１に麺を収容した場合について説明する。
【００８５】
図１８（Ａ）に示す状態で第１小容器１５１に麺類を収容し、第２小容器１５２に具材を収容する。これらを、図２０に示すように、第３小容器１５３に収容する。なお、第２小容器１５２を収容する前に、第３小容器１５３の上底１４６と下底１４５との間に第３小容器１５３の矩形状部から貫通孔１４８を介して第１小容器１５１の上底の下部に茶１４６を注入しておく。また、第２小容器１５２にはさらにストローが収容されている。
【００８６】
容器１４１に収容された麺を喫食する人は、麺１８１に具材１８２を添加して麺を喫食しながら、必要に応じて茶１４６をストローで吸引できる。この容器への収容物は麺に限らず、ご飯類であってもよい。すなわち、この容器を用いれば、主食、おかず、汁や茶等の液体を１つの容器で収容できる。したがって、この容器は一種の弁当箱としての機能も果たし得る。
【００８７】
また、ここでは、蓋について記載を省略しているが、蓋は当然設けられるものとする。蓋にはシール作用がある方が好ましい。
【００８８】
上記実施の形態においては、それぞれの分割された部分には、任意の部分に所望の麺や具材が収容されてもよい。しかしながら、もっとも広い部分に麺が収容され、他の部分に具材や薬味が収容されるのが好ましい。
【００８９】
上記実施の形態においては、外側側面部が円筒状や矩形状の場合に内側側面部を同様に、円筒状や矩形状とした場合について説明したが、これに限らず、内側側面部を多角形状としてもよい。
【００９０】
また、上記実施の形態においては、外側側面部が多角形状の場合に内側側面部を矩形状にした場合について説明したが、これに限らず、内側側面部を円筒状や多角形状としてもよい。
【００９１】
さらに上記実施の形態において、図１と図２については、外側側面部はテーパ状を有し、図３以降は、外側側面部はテーパ状を有することなく、円筒状とした場合について説明したが、これに限らず、上記した全ての平面図に対応して、外側側面部はテーパ状を有してもよい。また、外側側面部の断面形状は中心軸に対して線対称であってもよいし、そうでなくてもよい。
【００９２】
また、内側側面部は、その断面が図２（Ａ）に示すように中心軸に対して線対称であってもよいし、図１（Ａ）に示すように外側側面部と一部でのみ線接触するような形状であってもよい。
【００９３】
上記実施の形態おいて、外側側面部と内側側面部との高さは同一である場合について説明したが、これに限らず、内側側面部との高さは低くてもよい。
【００９４】
また、上記実施の形態においては、容器の内部に別の小容器を収容する場合に、仕切りやストッパを設ける場合について説明したが、これに限らず、小容器の上部に鍔を設けたり、小容器の側面や底面に外部への突出部を設けるともに、外部の容器に凹部を設け、これらが係合するようにする等の任意の方法で位置決めをしてもよい。
【００９５】
また、上記実施の形態における容器の材質としては、特に限定されないが、発泡スチロール等の低密度であって、厚みが大きく、保温性のよいものが好ましい。
【産業上の利用可能性】
【００９６】
この発明に係る容器は、複数の収容部を有しながら、簡単な構成を有するため、容器として有利に利用される。
【符号の説明】
【００９７】
１０,１０１，１４１，１６１  容器、１１  開口部、１２，４２  側面部、１３，４３  外側側面部、１４，４４  内側側面部、１５．２５，３５  底面部、１６，２６，３６，４６  中央部（内側）空間、１７，２７  端部（外側）空間、１０３，１５１，１５２，１５３ａ  小容器、１４８  貫通孔。
【要約】
容器（１０）は、開口部（１１）、側面部（１２）、および、底面部（１５）を有する。側面部（１２）は、底面部（１５）を共有するように設けられた外側側面部（１３）と、外側側面部（１３）の内側に設けられた内側側面部（１４）とを含む。それによって、麺類のような食品を収容可能な複数の収容部を有しながら、簡単な構成を有する容器を提供する。【図１】
0005802844.tif 000002
【図２】
0005802844.tif 000003
【図３】
0005802844.tif 000004
【図４】
0005802844.tif 000005
【図５】
0005802844.tif 000006
【図６】
0005802844.tif 000007
【図７】
0005802844.tif 000008
【図８】
0005802844.tif 000009
【図９】
0005802844.tif 000010
【図１０】
0005802844.tif 000011
【図１１】
0005802844.tif 000012
【図１２】
0005802844.tif 000013
【図１３】
0005802844.tif 000014
【図１４】
0005802844.tif 000015
【図１５】
0005802844.tif 000016
【図１６】
0005802844.tif 000017
【図１７】
0005802844.tif 000018
【図１８】
0005802844.tif 000019
【図１９】
0005802844.tif 000020
【図２０】
0005802844.tif 000021